(57)【要約】【課題】寝返りが打ちやすく、かつ圧迫感や痛みを感じない敷き布団を提供することを課題とする。【解決手段】長さが６０ｍｍ以下の短繊維と、長さが２００ｍｍ以上の長繊維を混綿した繊維からなる布団綿４を上下に積層して、中綿材５を形成する。そして、中綿材５を外カバー６で包んで敷き布団３を形成する。中綿材５を形成する布団綿４に使用する繊維の太さの平均値は各布団綿４で異なっていて、中綿材５の下層の布団綿４ほど、中綿材５の上層の布団綿４より太さの平均値の大きい繊維を使用することを特徴とする。【選択図】図２
0003133064.tif 000002
【実用新案登録請求の範囲】
【請求項１】
繊維で形成される板状の布団綿を、上下方向に少なくとも２層に積層した中綿材を、外カバーで包んだ敷き布団であって、
前記繊維は、長さが６０ｍｍ以下の短繊維と、長さが２００ｍｍ以上の長繊維とが混綿されたものであって、
上層の前記布団綿を形成する前記繊維の太さの平均値は、下層の前記布団綿を形成する前記繊維の太さの平均値よりも小さいことを特徴とする敷き布団。
【請求項２】
最も下層に位置する前記布団綿に混綿される前記長繊維の太さの平均値は、７５〜２８０μｍの範囲にあることを特徴とする請求項１に記載の敷き布団。
【請求項３】
前記繊維は、獣毛からなることを特徴とする請求項１又は請求項２に記載の敷き布団。
【請求項４】
請求項１乃至請求項３に記載の敷き布団において、
最も下層に位置する布団綿として、太さの平均値が７５〜２８０μｍの前記長繊維のみからなる基層布団綿をさらに備えたことを特徴とする敷き布団。
【考案の詳細な説明】
【技術分野】
【０００１】
本考案は、敷き布団に関する。
【背景技術】
【０００２】
敷き布団には、利用者からかかる体圧を分散させる機能（体圧分散機能）と、利用者を支持する機能（支持機能）とが要求されるが、両者は相反する機能であって、体圧分散機能と支持機能とを両立させることが望まれている。
【０００３】
例えば、低反発ウレタンなど柔らかい中綿材は、体圧分散機能は優れるが、支持機能に改善の余地がある。また、ニードルパンチや固綿など硬い中綿材は、支持機能は優れるが、体圧分散機能に改善の余地がある。
【０００４】
体圧分散機能に優れた布団綿を使用した敷き布団は、利用者が睡眠時に感じる圧迫感を軽減することができるが、体が沈み込んで寝返りが打ちにくいという問題がある。また、支持機能に優れた布団綿を使用した敷き布団は、利用者は睡眠時に寝返りを打ちやすくなるが、圧迫感や痛みを感じることがあるという問題がある。
【０００５】
このような問題を解決するため、例えば特許文献１には、表面の側を真綿で形成して、利用者に柔らかい感触を与えるとともに、中心部分は硬い樹脂発泡体のマットで形成して、弾力性を与える技術が開示されている。
また、例えば特許文献２には、利用者が寝る側を柔らかい発泡樹脂とし、床に接する側を硬い繊維形成体として、体圧を均一に分散させる技術が開示されている。
【特許文献１】特開２０００−０５１０１４号公報（図１参照）
【特許文献２】特開２００４−１２１８２９号公報（図１参照）
【考案の開示】
【考案が解決しようとする課題】
【０００６】
特許文献１に開示された技術においては、中心部分に硬い樹脂発泡体を使用することから支持機能に優れ、ヘタレも防止できるが、中心部分が硬いことから体圧分散機能には改善の余地がある。また、特許文献２に開示された技術においては、柔らかい発泡樹脂を使用することから体圧分散機能には優れるが、支持機能には改善の余地があるとともに、利用者が寝る側に発泡樹脂を使用することから、保温性、吸湿性にも改善の余地がある。
【０００７】
そこで、本考案は、体圧分散機能と支持機能とを両立させることができる敷き布団を提供することを課題とする。
【課題を解決するための手段】
【０００８】
前記課題を解決するため、請求項１に記載の考案は、繊維で形成される板状の布団綿を、上下方向に少なくとも２層に積層した中綿材を、外カバーで包んだ敷き布団であって、前記繊維は、長さが６０ｍｍ以下の短繊維と長さが２００ｍｍ以上の長繊維とが混綿されたものであって、上層の前記布団綿を形成する前記繊維の太さの平均値は、下層の前記布団綿を形成する前記繊維の太さの平均値よりも小さいことを特徴とした。
【０００９】
請求項１の考案によって、上層ほど太さの平均値が小さい繊維で形成されることから、柔軟性が高まることから体圧分散機能を高めることができる。また、下層ほど太さの平均値が大きい繊維で形成されることから、支持機能を高めることができる。
【００１０】
また、請求項２に記載の考案は、最も下層に位置する前記布団綿に混綿される前記長繊維の太さの平均値は、７５〜２８０μｍの範囲にあることを特徴とした。
【００１１】
請求項２の考案によって、中綿材の最も下層に位置する布団綿には、平均の太さが７５〜２８０μｍの繊維を混綿するため、支持機能を高めることができる。
【００１２】
また、請求項３に記載の考案は、前記繊維は獣毛からなることを特徴とした。
【００１３】
請求項３の考案によって、中綿材を獣毛で構成することで、保温性、吸湿性、放湿性を得ることができる。
【００１４】
また、請求項４に記載の考案は、請求項１乃至請求項３に記載の敷き布団において、最も下層に位置する布団綿として、太さの平均値が７５〜２８０μｍの前記長繊維のみからなる基層布団綿をさらに備えたことを特徴とした。
【００１５】
請求項４の考案によって、中綿材の最も下層に位置する基層布団綿は、太さの平均値が７５〜２８０μｍの長繊維のみで構成され、支持機能を高めることができる。
【考案の効果】
【００１６】
本考案によると、体圧分散機能と支持機能とを両立させるとともに、保温性、吸湿性、放湿性に優れた敷き布団を提供することができる。
【考案を実施するための最良の形態】
【００１７】
以下、本考案を実施するための最良の形態について、適宜図を用いて詳細に説明する。
【００１８】
図１の（ａ）は、短繊維を示す図、（ｂ）は、長繊維を示す図、（ｃ）は、長繊維と短繊維を混綿する態様を示す図である。
本実施形態にかかる布団綿は、図１の（ａ）に示す平均長さ５０〜６０ｍｍの短繊維１と図１の（ｂ）に示す平均長さ２００〜２５０ｍｍの長繊維２をそれぞれ充分解きほぐし、例えば掻上げ羽根を備える混綿機に気送して、図１の（ｃ）に示すように混綿し、混綿された短繊維１と長繊維２とで板状の布団綿４（図２の（ａ）参照）を形成する。
本実施形態においては、短繊維１および長繊維２を、重量比で６：４の割合になるように混綿したが、この割合は限定されるものではなく、例えば敷き布団３（図２の（ａ）参照）が対象とする使用者の嗜好（例えば、敷き布団３の硬さ）などを考慮して、適宜設定すればよい。図２の（ａ）は、敷き布団の、外カバーの一部を破断した破断図である。
【００１９】
図２の（ａ）に示すように、前記のように製造される布団綿４を複数個製造して上下方向に積層して中綿材５を形成し、中綿材５を例えば布製の外カバー６で包んで封じて、敷き布団３を構成する。なお、図２の（ａ）には、３個の布団綿４から構成される３層の中綿材５を図示したが、中綿材５の層数は限定するものではない。
また、図２の（ａ）において、上方および下方は図中に示す方向とし、利用者が寝る側を上方とする。そして、上方に近い側の布団綿４を上層の布団綿、下方に近い側の布団綿４を下層の布団綿とし、最も上層の布団綿４をクッション層４ａ、最も下層の布団綿４を支持層４ｃとする。さらに、クッション層４ａと支持層４ｃの中間に積層される布団綿４を中間層４ｂとする。
なお、中綿材５を４層以上で形成する場合、中間層４ｂを複数の層で形成すればよく、中綿材５を２層で形成する場合、クッション層４ａと支持層４ｃとで中綿材５を形成すればよい。
また、敷き布団３の平面形状は矩形とし、長い辺に沿った方向を長手方向、長手方向と直交する方向を幅方向と称する。
【００２０】
前記したように、布団綿４は、短繊維１（図１の（ａ）参照）と長繊維２（図１の（ｂ）参照）とを混綿して形成される。そして、本実施形態においては、短繊維１と長繊維２には獣毛を使用することを特徴とする。獣毛を使用する布団綿４は、保温性、吸湿性および放湿性に優れるため、獣毛を使用する布団綿４からなる中綿材５を、外カバー６で包んで形成される敷き布団３も、保温性、吸湿性および放湿性に優れる。
ここで、本実施形態おいては、クッション層４ａと中間層４ｂと支持層４ｃの短繊維１にラクダの体毛を使用した。
【００２１】
また、本実施形態においては、中綿材５を構成するクッション層４ａ、中間層４ｂ、支持層４ｃを形成する布団綿４に混綿される長繊維２（図１の（ｂ）参照）の太さの平均値が各層で異なることを特徴とする。クッション層４ａに混綿される長繊維２の太さの平均値を、中間層４ｂ、支持層４ｃに混綿される長繊維２の太さの平均値より小さくし、中間層４ｂに混綿される長繊維２の太さの平均値を、支持層４ｃに混綿される長繊維２の太さの平均値より小さくする。すなわち、中綿材５において、上層の布団綿４に混綿される長繊維２の太さの平均値は、下層の布団綿４に混綿される長繊維２の太さの平均値よりも小さくなるように形成する。
【００２２】
図１の（ｃ）に示すように短繊維１と長繊維２とを混綿すると、短繊維１と長繊維２との絡みによって繊維網が形成される。そして、長繊維２の太さが異なる場合、細い長繊維２を使用した布団綿４（図２の（ａ）参照）ほど、繊維網における横方向の張りと弾力が弱くなる。このことは、細い長繊維２を使用した布団綿４ほど柔らかくなり、太い長繊維２を使用した布団綿４ほど硬くなることを示す。そして、本実施形態において、クッション層４ａ（図２の（ａ）参照）が、中間層４ｂ（図２の（ａ）参照）、支持層４ｃ（図２の（ａ）参照）より柔らかいことを示す。また、支持層４ｃにおける長繊維２の太さの平均値は、中間層４ｂ、支持層４ｃにおける、長繊維２の太さの平均値より大きいことから、支持層４ｃは、クッション層４ａ、中間層４ｂより硬いことを示す。
【００２３】
また、図２の（ｂ）に示すように、布団綿４における長繊維２は、布団綿４の横の広がり方向に略平行になるように存在することが好ましい。ここで、布団綿４の横の広がり方向とは、図２の（ａ）に示す布団綿４の長手方向と幅方向の各辺で形成される平面が広がる方向とする。
図２の（ｂ）は、布団綿を側面視したときの模式図であって、図２の（ａ）における、矢視Ａの方向から見た図である。
図２の（ｂ）に示すように、長繊維２は、模式的に布団綿４の長手方向に略平行に存在し、短繊維１が長繊維２と絡まりあう。そして、長繊維２と長繊維２とが短繊維１を介して絡まり合う形態となる。なお、図２の（ｂ）において、長繊維２は、長手方向に平行に図示されているが、これは模式図で示したものであって、長繊維２は、図２の（ａ）に図示される長手方向と幅方向の各辺で形成される平面に略平行に存在するものとする。
【００２４】
図２の（ｃ）は、布団綿に圧力が加わる状態を示す模式図である。
図２の（ｃ）に示すように、本実施形態にかかる布団綿４は、上方（利用者が寝る側）から局部的に圧力Ｐ（体重）を受けると、布団綿４の横の広がり方向に略平行に存在する長繊維２と短繊維１との絡みによって形成される繊維網が横方向の張りと弾力を示し、絡み合った短繊維１の上下方向の弾力と共に圧力Ｐ（体重）を支える。このことは、支持機能を有することを示す。
そして、図２の（ｃ）に示すように、長繊維２は圧力Ｐ（体重）を横方向に受けることから、長繊維２は横方向に圧力Ｐ（体重）を分散させることができる。
このように、長繊維２が圧力Ｐ（体重）を横方向に分散させる作用によって、布団綿４は圧力Ｐ（体重）を分散させることができる。このことは、布団綿４にかかる圧力Ｐを分散させる機能、すなわち体圧分散機能を有することになる。
以上のことより、本実施形態にかかる布団綿４は支持機能と体圧分散機能を両方有することになる。
【００２５】
さらに、体圧分散機能によって体圧が分散することで、荷重が１箇所に集中することがないため、特定の箇所がヘタれることを防止することができる。
【００２６】
本実施形態において、図２の（ａ）に示す布団綿４のクッション層４ａは、長繊維２の太さの平均値が下層の中間層４ｂ、支持層４ｃの長繊維２の太さの平均値より小さいため、圧力Ｐ（体重）による変形が大きく、圧力Ｐ（体重）を分散させる機能、すなわち体圧分散機能に優れる。そして、図２の（ａ）に示す布団綿４の支持層４ｃは、長繊維２の太さの平均値が上層のクッション層４ａ、中間層４ｂの長繊維２の太さの平均値より大きいため、圧力Ｐ（体重）による変形が小さく、圧力Ｐ（体重）を支持する機能、すなわち支持機能に優れる。
そして、本実施形態にかかる中綿材５（図２の（ａ）参照）は、クッション層４ａと支持層４ｃが積層されるため、適度な体圧分散機能と適度な支持機能とを両立できるという、優れた効果を奏する。
【００２７】
また、短繊維１は通常の整綿機で得られる、長さが６０ｍｍ以下（平均長さが５０ｍｍ〜６０ｍｍ）のものであり、これに混綿される長繊維２としては、人体のディメンションを配慮した充分の長さのものであれば、布団綿４に横方向の張りと弾力をもたらす効果が期待されるものであるが、特に２００ｍｍ以上の繊維については、その効果が確かめられている。そこで本実施形態においては、長繊維２として平均長さが２００〜２５０ｍｍの獣毛を使用した。
【００２８】
ここで、本実施形態においては、クッション層４ａの長繊維２にラクダの体毛、中間層４ｂの長繊維２にヤクの体毛、支持層４ｃの長繊維２にウマの体毛を使用した。ラクダはヘアと呼ばれる１５〜１２０μｍの太さの長毛を有し、その平均的な太さは約７５μｍである。また、ヤクの体毛は１５〜２３０μｍの太さで平均が約１１１μｍ、ウマの体毛は、尾の部分で７５〜２８０μｍの太さで平均が約１４０μｍである。したがって、クッション層４ａの長繊維２にラクダの体毛、中間層４ｂの長繊維２にヤクの体毛、支持層４ｃの長繊維２にウマの体毛を使用することで、下層から上層に向けて、長繊維２の太さの平均値を小さくすることができる。
【００２９】
以上のように布団綿４（クッション層４ａ、中間層４ｂ、支持層４ｃ）を形成し、上方からクッション層４ａ、中間層４ｂ、支持層４ｃの順に積層することで、上層の布団綿４（クッション層４ａ）を柔らかく、下層の布団綿４（支持層４ｃ）を硬くすることができる。
【００３０】
また、布団綿４に使用する短繊維１として、本実施形態においては、ウールと呼ばれるラクダの体毛を使用した。
ここで、長繊維２と同様に、クッション層４ａに使用される短繊維１の太さの平均値を中間層４ｂに使用する短繊維１の太さの平均値より小さくし、支持層４ｃに使用される短繊維１の太さの平均値を中間層４ｂに使用する短繊維１の太さの平均値より大きくするように構成してもよい。
例えば、クッション層４ａには、太さが１２〜１３μｍのウールを使用し、中間層４ｂには、太さが１４〜２８μｍのウールを使用し、支持層４ｃには、太さが３０〜４６μｍのウールを使用する構成とする。
このように構成することで、長繊維２と同様に、短繊維１も下層の布団綿４ほど太さの太い繊維で形成することができ、より効果的に上層の布団綿４を柔らかくし、下層の布団綿４を硬くすることができる。
【００３１】
また、支持層４ｃ（最も下層に位置する布団綿）として、長繊維２のみで形成された基層布団綿を使用してもよい。このように形成することで、支持層４ｃ（基層布団綿）は長繊維２と短繊維１とを混綿する必要がなく、例えば短繊維１の材料費削減や製造工程の削減にともなう製造コストの削減という効果を得ることができるとともに、支持機能を高めることができる。
【００３２】
このように構成される布団綿４を、上層からクッション層４ａ、中間層４ｂ、支持層４ｃの順に積層して中綿材５を形成し、この中綿材５を、例えば布製の外カバー６で包んで、図２の（ａ）に示す本実施形態にかかる敷き布団３を形成する。
【００３３】
図３は、外カバーに中綿材を包んで封じる方法の一例を示す図である。図３の（ａ）に示すように、外カバー６は上部カバー６ａと下部カバー６ｂとから構成され、中綿材５は上部カバー６ａと下部カバー６ｂとで挟まれることにより、外カバー６に包まれる。
上部カバー６ａと下部カバー６ｂは、形成する敷き布団３（図２の（ａ）参照）の平面形状（例えば長手方向２ｍ、幅方向１ｍの長方形）と略等しい大きさの布地である。
【００３４】
また、前記のように、中綿材５は、短繊維１（図１の（ａ）参照）と長繊維２（図１の（ｂ）参照）を混綿して形成される、３つの布団綿４（クッション層４ａ、中間層４ｂ、支持層４ｃ）を積層して形成される。そして、布団綿４の平面形状は、形成する敷き布団３（図２の（ａ）参照）の平面形状と略等しい。また布団綿４の厚みは、クッション層４ａ、中間層４ｂ、支持層４ｃがそれぞれ３０〜３５ｍｍとし、約１００ｍｍの厚さを有する中綿材５を形成するものとした。なお、本実施形態においては、クッション層４ａ、中間層４ｂ、支持層４ｃの厚みを均等にしたが、これは限定されるものではなく、特定の層を厚くしたり薄くしたりする構成であってもよい。
【００３５】
このように形成される中綿材５を、下部カバー６ｂの上に載置する。さらに、中綿材５の上部から中綿材５を上部カバー６ａと下部カバー６ｂとで包み込むように、上部カバー６ａをかぶせる。
そして、図３の（ｂ）に示すように、上部カバー６ａと下部カバー６ｂの端縁部を縫合することで、周囲に縫合部６ｃを有する外カバー６が形成され、中綿材５（図３の（ａ）参照）が外カバー６に包まれて封じられる。
【００３６】
外カバー６の素材は特に限定するものではないが、包んだ中綿材５を構成する短繊維１（図１の（ａ）参照）および長繊維２（図１の（ｂ）参照）が、外カバー６を貫通しないことが好ましい。外カバー６の素材としては、例えば綿製の布地（以下、綿布と称する）が考えられるが、中綿材５を構成する短繊維１および長繊維２が、綿布の目（綿布を形成する糸と糸の隙間）から、外カバー６を貫通することがある。
このため、外カバー６の素材となる綿布は、短繊維１および長繊維２が、外カバー６を貫通しないように目をつぶしたものであることが好ましい。
【００３７】
そこで、綿布に熱と圧力を加えて綿布を形成する糸と糸の隙間を小さくし、綿布の目をつぶす加工が知られている（例えば、ダウンプルーフ加工）。ダウンプルーフ加工された綿布は、目が完全につぶれるのではなく、短繊維１（図１の（ａ）参照）および長繊維２（図１の（ｂ）参照）が貫通しない程度に綿布の目がつぶれている。そのため、利用者が睡眠中に発する汗などの水分（湿気）は、該綿布に浸透することができる。したがって、ダウンプルーフ加工された綿布を素材とする外カバー６を使用することによって、獣毛で形成される中綿材５が有する吸湿性、放湿性を損なうことなく、短繊維１および長繊維２が表面に抜け出ない敷き布団３を形成することができる。
【００３８】
そして、上部カバー６ａから下部カバー６ｂに向けて、図３の（ｂ）に示すように、例えば格子状にキルティング加工６ｄを施すことで、外カバー６に包まれる中綿材５の偏りを少なくすることができる。
【００３９】
以上のように、布団綿４が積層されて形成される中綿材５を外カバー６で包んで構成される敷き布団３に、利用者が寝たときの作用効果を説明する。
図４は、本実施形態にかかる中綿材を外カバーで包んで封じた敷き布団に、利用者が寝ている態様を示す図である。
図４に示すように、前記のように構成される敷き布団３の上方に利用者が寝ると、利用者からの圧力Ｐ（体重）のかかり方に応じて敷き布団３は沈みこむ。
このとき、クッション層４ａは、下層の中間層４ｂ、支持層４ｃより太さの平均値が小さい繊維を使用していることから、長繊維２（図１の（ｂ）参照）と短繊維１（図１の（ａ）参照）とで構成される繊維網による横方向の張りおよび弾力が小さく、クッション層４ａは柔らかい。したがって、クッション層４ａは適度に変形する（沈み込む）。
そして、クッション層４ａが適度に変形する（沈み込む）ことで、敷き布団３への利用者の体重のかかり方を分散させることができる。このように、利用者の体重が分散されるため、利用者が敷き布団３から受けるタッチは柔らかく、利用者が感じる圧迫感は軽減される。すなわち、体圧分散機能を実現することができる。
【００４０】
さらに、下層の中間層４ｂ、および支持層４ｃに向かうほど長繊維２（図１の（ｂ）参照）の太さの平均値が大きいため、繊維網による横方向の張りおよび弾力が大きくなり、利用者の体重による、布団綿４の変形も小さくなる。したがって、敷き布団３の下方に向かうほど利用者の体重を支持する力が大きくなる。すなわち、支持機能を実現することができる。
【００４１】
以上のように、本考案にかかる敷き布団３においては、適度な体圧分散機能と、適度な支持機能とを両立して実現することができ、利用者は睡眠時に、圧迫感や痛みを感じることなく、寝返りも打ちやすい。したがって、健康的で安眠性の高い敷き布団３が得られるという、優れた効果を奏する。
【００４２】
また、本考案にかかる敷き布団においては、体圧分散機能を有するとともに、下層に向かうほど、長繊維の太さの平均値が大きくなるので、毛玉になりにくい。これによって、長期間の使用によって柔軟性が低下する、いわゆる「ヘタレ」を防止することができる。
【００４３】
なお、好適な実施形態として、敷き布団を例に説明したが、これは限定されるものではなく、座布団、椅子類のクッションシート、枕等に、本実施形態にかかる中綿材を適用してもよい。
【図面の簡単な説明】
【００４４】
【図１】図１の（ａ）は、短繊維を示す図、（ｂ）は、長繊維を示す図、（ｃ）は、長繊維と短繊維を混綿する態様を示す図である。
【図２】（ａ）は、敷き布団の、外カバーの一部を破断した破断図、（ｂ）は、布団綿を模式的に示す図、（ｃ）は、敷き布団に圧力が加わる状態を模式的に示す図である。
【図３】（ａ）は、上部カバーと下部カバーとに中綿材を挟む態様を示す図、（ｂ）は、上部カバーと下部カバーの端縁部を縫合する態様を示す図である。
【図４】本実施形態にかかる中綿材を外カバーで包んで封じた敷き布団に、利用者が寝ている態様を示す図である。
【符号の説明】
【００４５】
１      短繊維
２      長繊維
３      敷き布団
４      布団綿
５      中綿材
６      外カバー
【図１】
0003133064.tif 000003
【図２】
0003133064.tif 000004
【図３】
0003133064.tif 000005
【図４】
0003133064.tif 000006